(57)【要約】【課題】  外部光の取込み効率を高めることができると共に、金属質感をもってカラー化など加飾を図ることができる文字板およびそれを備えた時計を提供する。【解決手段】  小径の貫通孔１０とこの貫通孔１０よりも更に小径の非貫通穴１１とが多数設けられた金属層６を備えている。従って、金属層６に設けられた多数の貫通孔１０によって外部光を金属層６のほぼ全域から取り込むことができるので、金属層６を備えていても、外部光の取込み効率を十分に確保することができる。また、金属層６によって金属質感を得ることができると共に、金属層６に設けられた多数の非貫通穴１１によって金属層６を着色することができるので、カラー化を図ることができる。【選択図】        図６
2019158493.tif 000002
【特許請求の範囲】
【請求項１】
貫通孔と非貫通穴とが複数設けられた金属層と、
前記金属層の裏面側には、ソーラーパネルと、
を備えていることを特徴とする文字板。
【請求項２】
請求項１に記載の文字板において、前記金属層は、陽極酸化処理によって前記貫通孔と当該貫通孔よりも小径の非貫通穴とが複数設けられていることを特徴とする文字板。
【請求項３】
請求項１または請求項２に記載の文字板において、前記金属層の裏面には、光透過性の補強層が設けられていることを特徴とする文字板。
【請求項４】
請求項１〜請求項３のいずかに記載の文字板において、前記貫通孔は、前記ソーラーパネルの受光態様に応じて孔径が異なっていることを特徴とする文字板。
【請求項５】
請求項１〜請求項４のいずれかに記載の文字板において、前記金属層は、前記非貫通穴に埋め込まれた染料によって着色されていることを特徴とする文字板。
【請求項６】
請求項１〜請求項５のいずれかに記載の文字板において、前記金属層には、表面処理が施されていることを特徴とする文字板。
【請求項７】
請求項１〜請求項６のいずれかに記載された文字板を備えていることを特徴とする時計。
【発明の詳細な説明】
【技術分野】
【０００１】
この発明は、腕時計などの時計に用いられる文字板およびそれを備えた時計に関する。
【背景技術】
【０００２】
例えば、腕時計においては、特許文献１に記載されているように、金属製の文字板に複数の時字孔を設け、これら複数の時字孔に集光レンズをそれぞれ嵌め込み、これら複数の集光レンズによって外部光を集めて文字板の下面に設けられたソーラーパネルに照射させる構造のものが知られている。
【先行技術文献】
【特許文献】
【０００３】
【特許文献１】特開２００２−１３９５７９号公報
【発明の概要】
【発明が解決しようとする課題】
【０００４】
しかしながら、このような腕時計では、複数の時字孔を文字板の外周部における１時から１２時に対応する箇所に設けた構造であるから、これら複数の時字孔にそれぞれ嵌め込まれた集光レンズによって外部光を集光してソーラーパネルに照射させても、文字板全体の面積に対してソーラーパネルに照射される照射面積を十分に確保することができないため、ソーラーパネルの発電効率を確保することができない。
【０００５】
また、このような腕時計では、外部光を十分に取り込むために、文字板を光透過性の合成樹脂で形成した構造のものが提案されているが、このような文字板では、カラー化を図ることができても、金属質感が得られないため、高級感に欠けるという問題がある。
【０００６】
この発明が解決しようとする課題は、外部光の取込み効率を高めることができると共に、金属質感をもってカラー化など加飾を図ることができる文字板およびそれを備えた時計を提供することである。
【課題を解決するための手段】
【０００７】
この発明は、貫通孔と非貫通穴とが複数設けられた金属層と、前記金属層の裏面側には、ソーラーパネルと、を備えていることを特徴とする文字板である。
【発明の効果】
【０００８】
この発明によれば、外部光の取込み効率を高めることができると共に、金属質感をもって加飾を図ることができる。
【図面の簡単な説明】
【０００９】
【図１】この発明を腕時計に適用した第１実施形態を示した拡大正面図である。
【図２】図１に示された腕時計の文字板を示した拡大正面図である。
【図３】図２に示された文字板のＡ−Ａ矢視における拡大断面図である。
【図４】図２に示された文字板のＡ部を拡大して示した正面図である。
【図５】図４に示された文字板のＢ部を更に拡大して示した正面図である。
【図６】図５に示された文字板のＢ部のＢ−Ｂ矢視における要部の拡大断面図である。
【図７】この発明を腕時計の文字板に適用した第２実施形態において、図５に示された文字板のＢ部に色彩を施した状態を示した要部の拡大平面図である。
【図８】図７に示された文字板のＢ部のＣ−Ｃ矢視における要部の拡大断面図である。
【図９】この発明を腕時計に適用した第３実施形態における文字板を示した拡大正面図である。
【図１０】図９に示された文字板のＤ−Ｄ矢視における拡大断面図である。
【図１１】図９に示された文字板のＣ部を拡大して示した正面図である。
【発明を実施するための形態】
【００１０】
（第１実施形態）
以下、図１〜図６を参照して、この発明を腕時計に適用した第１実施形態について説明する。
この腕時計は、図１に示すように、腕時計ケース１を備えている。この腕時計ケース１の１２時側と６時側とには、バンド取付部２がそれぞれ設けられている。また、この腕時計ケース１の２時側、３時側、および４時側には、スイッチ部３がそれぞれ設けられている。
【００１１】
また、この腕時計ケース１の内部には、図１に示すように、時計モジュール４が設けられている。この時計モジュール４は、図示しないが、指針を運針させて時刻を指示させる時計ムーブメント、時刻などの情報を電気光学的に表示する平面型の表示パネル、これを駆動して制御する回路基板などの時計機能に必要な各種の部品を備えている。この時計モジュール４は、上面に図２に示す文字板５が配置されている。
【００１２】
この文字板５は、図２および図３に示すように、金属層６と、光透過性の補強層７と、ソーラーパネル８と、を備えている。金属層６は、厚みＴ１が０・０５ｍｍ〜０・１ｍｍ程度と薄く形成されている。この金属層６の上面における外周部には、時字６ａが設けられている。また、この金属層６の中心部には、指針軸（図示せず）が挿入する金属貫通孔６ｂが設けられている。さらに、この金属層６の中心部と１２時との間には、「ＡＢC」などのロゴマーク６ｃが設けられている。
【００１３】
補強層７は、図２および図３に示すように、金属層６を補強するためのものであり、ポリカーボネート（ＰＣ）などの透明または半透明の合成樹脂、あるいは透明または半透明のガラスで、厚みＴ２が０・３５ｍｍ〜０．５ｍｍ程度で、金属層６よりも十分に厚く形成されている。
【００１４】
この補強層７の上面には、図３に示すように、金属層６が接着層９によって接着されている。この接着層９は、補強層７の上面における外周部に設けられている。この場合、補強層７の中心部には、指針軸（図示せず）が挿入する樹脂貫通孔７ａが金属層６の金属貫通孔６ｂに対応して設けられている。
【００１５】
ソーラーパネル８は、図３に示すように、外部光を受光して光エネルギーを電気エネルギーに変換することにより発電するものであり、補強層７の下面側に配置されている。このソーラーパネル８は、金属層６と補強層７と同じ大きさで形成されている。このソーラーパネル８の中心部にも、指針軸（図示せず）が挿入するパネル貫通孔８ａが金属層６の金属貫通孔６ｂと補強層７の樹脂貫通孔７ａとに対応して設けられている。
【００１６】
ところで、金属層６は、図４〜図６に示すように、アルミニウム素材を陽極酸化処理（つまりアルマイト処理）することによって形成されたアルマイト層である。この金属層６には、厚み方向（上下方向）に貫通する小径の貫通孔１０と、この貫通孔１０の内径よりも更に小さい穴径で金属層６の厚み方向に貫通しない非貫通穴１１とが、金属層６の上面のほぼ全域に亘って多数設けられている。
【００１７】
この場合、貫通孔１０は、図５および図６に示すように、陽極酸化処理時間つまり電解時間を長くすることにより、孔径が２００ｎｍ〜３００ｎｍの大きさで、金属層６の厚み方向（上下方向）に貫通して設けられている。非貫通穴１１は、陽極酸化処理時間つまり電解時間を貫通孔１０の処理時間よりも短くすることにより、穴径が貫通孔１０の孔径よりも十分に小さい大きさ、例えば１０ｎｍ〜１５ｎｍ程度と小さい大きさで、金属層６の厚み方向（上下方向）に貫通することなく設けられている。
【００１８】
これにより、金属層６は、図３、図５および図６に示すように、外部光が照射された際に、その外部光が多数の貫通孔１０を透過し、この透過した外部光が光透過性の補強層７を透過してソーラーパネル８に照射されるように構成されている。また、この金属層６は、多数の非貫通穴１１に染料１２が埋め込まれていることにより、金属層６の上面全体が着色されるように構成されている。
【００１９】
すなわち、この金属層６は、図５および図６に示すように、上面に染料１２が塗布された際に、染料１２が多数の非貫通穴１１に埋め込まれ、この状態で透明な封止材１３を塗布して多数の非貫通穴１１を封止することにより、染料１２が多数の非貫通穴１１内に封止されて着色されるように構成されている。また、この金属層６の上面には、図２に示すように、表面処理１４が施されている。この表面処理１４は、放射状のヘアーライン加工、梨地加工、市松加工などの表面加工である。
【００２０】
次に、このような腕時計の文字板５の作用について説明する。
この文字板５を製作する場合には、まず、金属層６を製作する。この場合には、アルミニウム素材の表面を陽極酸化処理（アルマイト処理）して、アルマイト層を形成する。すなわち、アルミニウム素材の表面を陽極酸化処理する際には、陽極酸化処理時間つまり電解時間を長くして、小径の多数の貫通孔１０を形成する。また、陽極酸化処理時間つまり電解時間を短くて、貫通孔１０よりも更に小径の多数の非貫通穴１１を形成する。
【００２１】
そして、アルミニウム素材の表面に形成されたアルマイト層を剥離することにより、貫通孔１０および非貫通穴１１が多数設けられた金属層６が得られる。この後、金属層６を光透過性の補強層７に接着層９によって貼り付ける。このときには、補強層７の上面における外周部に接着層９を塗布し、この状態で金属層６を補強層７の上面に重ね合わせることにより、金属層６が補強層７に接着層９によって接着される。
【００２２】
この状態で、金属層６の表面に放射状のヘアーライン加工、梨地加工、市松加工などの表面加工による表面処理１４を施すと共に、金属層６の表面を着色する。この場合には、金属層６の表面に染料１２を塗布して、金属層６の表面に設けられた多数の非貫通穴１１内に染料１２を埋め込む。そして、金属層６の表面を洗浄して不要な染料１２を除去した後、金属層６の表面に透明な封止剤１３を塗布して、多数の非貫通穴１１内に埋め込まれた染料１２を封止する。
【００２３】
この場合、金属層６の表面処理１４および染料１２による着色は、金属層６を補強層７に貼り付ける前に行っても良く、またアルミニウム素材の表面から金属層６であるアルマイト層を剥離する前に行っても良い。これにより、金属層６は、その表面が金属質感をもって染料１２によって着色されてカラー化される。そして、この金属層６が貼り付けられた補強層７の下側にソーラーパネル８を配置する。これにより、文字板５が製作される。
【００２４】
このようにして製作された文字板５では、外部光が金属層６の上面に照射されると、その外部光が金属層６のほぼ全域に設けられた多数の貫通孔１０を透過して補強層７のほぼ全域に入射し、この補強層７のほぼ全域に入射した光が補強層７を透過して、ソーラーパネル８の全域に照射される。これにより、ソーラーパネル８が照射された光によって発電する。
【００２５】
この場合には、金属層６の多数の貫通孔１０によって外部光が金属層６のほぼ全域に亘って透過して、ソーラーパネル８のほぼ全域に照射されることにより、ソーラーパネル８に照射される照射面積が十分に確保される．このため、ソーラーパネル８による発電効率が確保されることにより、ソーラーパネル８が効率良く良好に発電する。
【００２６】
また、この文字板５は、陽極酸化処理によって金属層６に多数の非貫通穴１１が設けられているので、これら多数の非貫通穴１１に染料１２を埋め込むことにより、金属層６の全表面が着色される。このため、この文字板５は、金属層６の着色によって加飾されることにより、金属質感をもって金属層６のカラー化が図れる。
【００２７】
このように、この腕時計の文字板５によれば、小径の貫通孔１０とこの貫通孔１０よりも更に小径の非貫通穴１１とが多数設けられた金属層６を備えていることにより、外部光の取込み効率を高めることができると共に、金属質感をもってカラー化を図ることができる。
【００２８】
すなわち、この腕時計の文字板５では、金属層６に多数の貫通孔１０が設けられていることにより、これら多数の貫通孔１０によって外部光を金属層６のほぼ全域から取り込むことができる。このため、この文字板５では、金属層６を備えていても、外部光を金属層６のほぼ全域から確実にかつ良好に取り込むことができるので、外部光の取込み効率を確保することができる。
【００２９】
また、この腕時計の文字板５では、金属層６によって金属質感を得ることができるので、高級感が得られると共に、金属層６に多数の非貫通穴１１が設けられていることにより、これら多数の非貫通穴１１に染料１２を埋め込むことによって、金属層６の全表面を着色することができ、これにより金属質感をもって金属層６のカラー化を図ることができると共に、良好に加飾することができる。
【００３０】
また、この腕時計の文字板５では、金属層６の下面側にソーラーパネル８が配置されていることにより、金属層６の多数の貫通孔１０を透過した外部光によってソーラーパネル８を良好に発電させることができる。すなわち、この文字板５では、外部光が金属層６の多数の貫通孔１０を透過して、ソーラーパネル８の全域に照射されるので、ソーラーパネル８を良好に発電させることができる。
【００３１】
この場合、ソーラーパネル８は、金属層６の多数の貫通孔１０によって外部光が金属層６のほぼ全域に亘って透過して、ソーラーパネル８のほぼ全域に照射されることにより、ソーラーパネル８に照射される照射面積を十分に確保することができるので、ソーラーパネル８を効率良く良好に発電させることができると共に、ソーラーパネル８による発電効率を高めることができる。
【００３２】
また、この文字板５の金属層６は、陽極酸化処理によって小径の貫通孔１０とこの貫通孔１０よりも更に小径の非貫通穴１１とが多数設けられていることにより、貫通孔１０と非貫通穴１１とを簡単にかつ容易に形成することができる。すなわち、金属層６は、アルミニウム素材を陽極酸化処理することにより、小径の貫通孔１０とこの貫通孔１０よりも更に小径の非貫通穴１１とが多数設けられたアルマイト層として容易にかつ良好に形成することができる。
【００３３】
この場合、陽極酸化処理によって形成されたアルマイト層である金属層６は、その厚みＴ１が０．０５ｍｍ〜０，１ｍｍ程度に薄く形成することができ、貫通孔１０は、内径が２００ｎｍ〜３００ｎｍ程度に小さく形成することができ、非貫通穴１１は、内径が１０ｎｍ〜１５ｎｍ程度に小さく形成することができる。
【００３４】
このため、この文字板５では、金属層６の裏面に光透過性の補強層７が設けられていることにより、金属層６の厚みが薄くて強度を確保することができなくても、補強層７によって補強することができると共に、補強層７が光透過性であるから、金属層６の多数の貫通孔１０を透過した外部光を確実にかつ良好に透過させて、ソーラーパネル８に良好に照射させることができる。
【００３５】
また、この文字板５では、金属層６の多数の非貫通穴１１に染料１２が埋め込まれていることにより、この埋め込まれた染料１２によって金属層６を確実にかつ良好に着色することができるので、金属質感をもって金属層６のカラー化を図ることができると共に、良好に加飾することができる。
【００３６】
さらに、この文字板５では、金属層６の表面に放射状のヘアーライン加工、梨地加工、市松加工などの表面加工による表面処理１４が施されていることにより、この表面処理１４によって文字板５全体の装飾性を高めることができるので、より一層、高級感のあるものを提供することができる。
【００３７】
（第２実施形態）
次に、図７および図８を参照して、この発明を腕時計の文字板に適用した第２実施形態について説明する。なお、図１〜図６に示された第１実施形態と同一部分には同一符号を付して説明する。
この腕時計の文字板１５は、図７および図８に示すように、金属層６の多数の非貫通穴１１に異なる色の染料１６を埋め込んだ構造であり、これ以外は第１実施形態と同じ構造になっている。
【００３８】
すなわち、この文字板１５は、図１に示すように、金属層６の１時から１２時に対応する時字６ａに対応する箇所、金属層６の中心部である金属貫通孔６ｂと１２時との間に設けられた「ＡＢＣ」などのロゴマーク６ｃ、およびこれら以外の金属層６の上面に対応する箇所の多数の非貫通穴１１に異なる色の染料１６を埋め込んだ構造になっている。
【００３９】
この場合、１時から１２時に対応する時字６ａは、図７および図８に示すように、これらに対応する箇所の多数の非貫通穴１１に同じ色の染料１６を埋め込んで、単色で着色されていても良く、また１２時、３時、６時、および９時の時字６ａとこれら以外の時字６ａとは、これに対応する箇所の多数の非貫通穴１１に異なる色の染料１６を埋め込んで、多色で着色されていても良い。
【００４０】
また、「ＡＢＣ」などのロゴマーク６ｃは、図７および図８に示すように、これに対応する箇所の多数の非貫通穴１１に時字６ａと異なる色の染料１６を埋め込んで、単色で着色されていても良く、またロゴマーク６ｃは、これに対応する箇所のみの多数の非貫通穴１１に異なる色の染料１６を個別に埋め込んで、多色で着色されていても良い。
【００４１】
さらに、時字６ａおよびロゴマーク６ｃ以外の金属層６の上面は、図７および図８に示すように、これに対応する箇所の多数の非貫通穴１１に異なる色の染料１６をそれぞれ個別に埋め込んで、色彩をもって着色されていても良い。例えば、金属層６の上面は、外周側から中心の金属貫通孔６ｂに向かう多数の非貫通穴１１に七色の染料１６を同心円状ごとに色分けして埋め込むことにより、七色の色彩をもってリング状に着色されていても良い。
【００４２】
このように、この腕時計の文字板１５によれば、第１実施形態と同様の作用効果があるほか、金属層６が多数の非貫通穴１１に埋め込まれた異なる色の染料１６によって着色されていることにより、第１実施形態よりも色彩が豊富で、グラデーションに富んだカラー化を図ることができる。例えば、この文字板１５では、１時から１２時に対応する時字６ａ、「ＡＢＣ」などのロゴマーク６ｃ、およびこれら以外の箇所をそれぞれ異なる色の染料１６で着色することにより、色彩が豊富で、グラデーションに富んだものを得ることができる。
【００４３】
すなわち、この文字板１５では、１時から１２時に対応する時字６ａが、これらに対応する箇所の多数の非貫通穴１１に同じ色の染料１６を埋め込んで、単色で着色されていることにより、単色のカラー化を図ることができる。また、１２時、３時、６時、および９時の時字６ａとこれら以外の時字６ａとで、異なる色の染料１６を埋め込んで、多色で着色することにより、時字６ａの色彩が豊富で、グラデーションに富んだ時字６ａのカラー化を図ることができる。
【００４４】
また、この文字板１５では、「ＡＢＣ」などのロゴマーク６ｃが、これに対応する箇所の多数の非貫通穴１１に時字６ａと異なる色の染料１６を埋め込んで、ロゴマーク６ｃを単色で着色されていることにより、時字６ａと異なる色でロゴマーク６ｃのカラー化を図ることができる。また、このロゴマーク６ｃは、これに対応する箇所のみの多数の非貫通穴１１に異なる色の染料１６をそれぞれ個別に埋め込むことにより、色彩をもってロゴマーク６ｃを多色で着色することができるので、豊富な色彩で、グラデーションに富んだロゴマーク６ｃのカラー化を図ることができる。
【００４５】
さらに、この文字板１５では、時字６ａおよびロゴマーク６ｃ以外の金属層６の上面が、これに対応する箇所の多数の非貫通穴１１に異なる色の染料１６を埋め込んで、多色で着色されていることにより、金属層６の色彩が豊富で、グラデーションに富んだ金属層６のカラー化を図ることができる。
【００４６】
この場合、金属層６の上面は、外周側から中心の金属貫通孔６ｂに向かう多数の非貫通穴１１に七色の染料１６を同心円状に埋め込むことにより、七色の色彩のリング状に着色することができるので、より一層、金属層６の色彩が豊富で、グラデーションに富んだ金属層６のカラー化を図ることができる。
【００４７】
（第３実施形態）
次に、図９〜図１１を参照して、この発明を腕時計の文字板に適用した第３実施形態について説明する。この場合にも、図１〜図６に示された第１実施形態と同一部分には同一符号を付して説明する。
この腕時計の文字板２０は、図９〜図１１に示すように、金属層６の多数の貫通孔１０の孔径をソーラーパネル２１の受光態様に応じて変えた構造であり、これ以外は第１実施形態と同じ構造になっている。
【００４８】
この場合、ソーラーパネル２１は、図１０に示すように、外径が金属層６および補強層７の各外径と同じ大きさで、中心部側に円形状の開口部２１ａが設けられたリング形状に形成されている。金属層６は、ソーラーパネル２１の形状に応じて、多数の貫通孔１０の孔径が異なる大きさで形成されている。
【００４９】
すなわち、金属層６の多数の貫通孔１０は、図１１に示すように、ソーラーパネル２１の開口部２１ａの内周側に対応する金属層６の内周からソーラーパネル２１の外周側に対応する金属層６の外周側に向けて、次第に孔径が大きくなるように形成されている。これにより、金属層６は、ソーラーパネル２１のリング形状に対応する領域において、内周側から外周側に向けて、孔径が次第に大きくなるように形成されている。
【００５０】
このため、この文字板２０では、図９〜図１１に示すように、金属層６に外部光が照射されて多数の貫通孔１０を透過する際に、外周側の貫通孔１０の孔径が内周側の貫通孔１０の内径よりも大きいので、外周側での外部光の取り込み量が内周側での外部光の取り込み量よりも多くなる。これにより、この金属層６では、ソーラーパネル２１に効率良く外部光を照射させて、ソーラーパネル２１を効率良く発電させることができる。
【００５１】
このように、この腕時計の文字板２０によれば、第１実施形態と同様の作用効果があるほか、金属層６の多数の貫通孔１０がソーラーパネル２１の受光態様に応じて孔径が異なっていることにより、外部光をソーラーパネル２１に効率良く照射させることができ、これによりソーラーパネル２１を効率良く良好に発電させることができる。
【００５２】
この場合、この文字板２０では、ソーラーパネル２１の外径が金属層６および補強層７の各外径と同じ大きさで、中心部側に円形状の開口部２１ａが設けられたリング形状にソーラーパネル２１が形成され、このソーラーパネル２１の形状に応じて、金属層６の多数の貫通孔１０の孔径がソーラーパネル２１の開口部２１ａに対応する内周側から外周側に向けて、次第に大きくなるように形成されていることにより、金属層６の多数の貫通孔１０によって外部光をソーラーパネル２１に効率良く照射させることができる
【００５３】
すなわち、この文字板２０では、金属層６に外部光が照射されて多数の貫通孔１０を透過する際に、外周側の貫通孔１０の孔径が内周側の貫通孔１０の内径よりも大きいので、外周側での外部光の取り込み量を内周側での外部光の取り込み量よりも多くすることができ、これによりソーラーパネル２１に効率良く外部光を照射させることができるので、ソーラーパネル２１を効率良く良好に発電させることができる。
【００５４】
なお、上述した第３実施形態では、リング形状に形成されたソーラーパネル２１の形状に応じて、金属層６の多数の貫通孔１０がソーラーパネル２１の開口部２１ａに対応する内周側から外周側に向けて、次第に孔径が大きくなるように形成されている場合について述べたが、この発明は、これに限らず、例えばソーラーパネルの外径が金属層６の外径よりも小さい円形状のソーラーパネルの場合には、金属層６の多数の貫通孔１０を金属層６の外周側からソーラーパネルに対応する内周側に向けて、次第に孔径が大きくなるように形成しても良い。また、ソーラーパネル２１の開口部２１ａに対応する箇所に金属層６の染料１２、１６を埋め込んだ多数の非貫通穴１１を形成しても良い。
【００５５】
また、上述した第３実施形態では、ソーラーパネル２１が円形のリング形状に形成されている場合について述べたが、この発明は、これに限らず、例えばソーラーパネルを三角形  四角形、五角形、六角形などの多角形の板状に形成しても良い。この場合には、ソーラーパネルの形状に対応させて、金属層６の多数の貫通孔１０の孔径を大きく形成すれば良い。また、複数に分割されたソーラーセルからなるソーラーパネルの場合は、複数のソーラーセルを接続する部分に対応して、染料を埋め込んだ非貫通穴を形成しても良い。
【００５６】
また、上述した第１〜第３実施形態では、金属層６がアルミニウム素材の陽極酸化処理によって形成されたアルマイト層である場合について述べたが、この発明は、これに限らず、例えばステンレス、チタンなどの金属層をエッチング処理することによって、金属層に小径の貫通孔１０とこの貫通孔１０よりも更に小径の非貫通穴１１を設けた構造であっても良い。
【００５７】
また、貫通孔１０の孔径と非貫通穴１１の穴径は、ほぼ同じ径であっても良い。
また、上述した実施形態の金属層６の厚み方向に貫通しない非貫通穴１１を、厚み方向に貫通させて貫通孔にして染料を埋め込むことで非貫通穴１１としても良い。
【００５８】
さらに、上述した第１〜第３実施形態では、腕時計に適用した場合について述べたが、この発明は、必ずしも腕時計である必要はなく、例えばトラベルウオッチ、目覚まし時計、置き時計、掛け時計などの各種の時計に適用することができる。
【００５９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６０】
（付記）
請求項１に記載の発明は、貫通孔と非貫通穴とが複数設けられた金属層と、前記金属層の裏面側には、ソーラーパネルと、を備えていることを特徴とする文字板である。
【００６１】
請求項２に記載の発明は、請求項１に記載の文字板において、前記金属層は、陽極酸化処理によって前記貫通孔と当該貫通孔よりも小径の非貫通穴とが複数設けられていることを特徴とする文字板である。
【００６２】
請求項３に記載の発明は、請求項１または請求項２に記載の文字板において、前記金属層の裏面には、光透過性の補強層が設けられていることを特徴とする文字板である。
【００６３】
請求項４に記載の発明は、請求項１〜請求項３のいずかに記載の文字板において、前記貫通孔は、前記ソーラーパネルの受光態様に応じて孔径が異なっていることを特徴とする文字板である。
【００６４】
請求項５に記載の発明は、請求項１〜請求項４のいずれかに記載の文字板において、前記金属層は、前記非貫通穴に埋め込まれた染料によって着色されていることを特徴とする文字板である。
【００６５】
請求項６に記載の発明は、請求項１〜請求項５のいずれかに記載の文字板において、前記金属層には、表面処理が施されていることを特徴とする文字板である。
【００６６】
請求項７に記載の発明は、請求項１〜請求項６のいずれかに記載された文字板を備えていることを特徴とする時計である。
【符号の説明】
【００６７】
１  腕時計ケース
４  時計モジュール
５、１５、２０  文字板
６  金属層
６ａ  時字
６ｂ  金属貫通孔
６ｃ  ロゴマーク
７  補強層
８、２１  ソーラーパネル
９  接着層
１０  貫通孔
１１  非貫通穴
１２、１６  染料
１４  表面処理
【図１】
2019158493.tif 000003
【図２】
2019158493.tif 000004
【図３】
2019158493.tif 000005
【図４】
2019158493.tif 000006
【図５】
2019158493.tif 000007
【図６】
2019158493.tif 000008
【図７】
2019158493.tif 000009
【図８】
2019158493.tif 000010
【図９】
2019158493.tif 000011
【図１０】
2019158493.tif 000012
【図１１】
2019158493.tif 000013